(57)【特許請求の範囲】
【請求項１】
高さ方向で重ねられるように配置可能に構成されつつ、このように高さ方向で重ねられて配置した上下構成を一体に連結する連結構造を具備する、段組可能な工具収納ケースであって、
重ねられて配置された際の高さ方向に沿って延在する一の側面と、該一の側面とは反対側に配置される他の側面とには、該工具収納ケースを持ち上げる際に、ユーザの手を引っ掛けることができるように機能する手掛け部が配設されており、
前記連結構造の少なくとも１つは、前記一の側面に設定されていることを特徴とする工具収納ケース。
【請求項２】
請求項１に記載の工具収納ケースにおいて、
前記手掛け部は、該工具収納ケースの収納側に入り込む凹形状を有して形成されていることを特徴とする工具収納ケース。
【請求項３】
請求項２に記載の工具収納ケースにおいて、
内部に動力工具が収容可能にされるケース本体と、該ケース本体の上側に配設され且つ該ケース本体の内部を開け閉めする蓋体とを備え、
前記手掛け部は、前記凹形状が前記蓋体に対して形成されることにより配設されていることを特徴とする工具収納ケース。
【請求項４】
請求項１から請求項３のいずれかに記載の工具収納ケースにおいて、
前記手掛け部によりユーザの手に引っ掛けられる把持部位には、該ユーザが触った感触により該把持部位として他の前記工具収納ケースの外周面と識別される識別形状が設けられていることを特徴とする工具収納ケース。
【請求項５】
請求項４に記載の工具収納ケースにおいて、
前記把持部位は、高さ方向で重ねられて配置した上下の該工具収納ケースのうち、下側に配置される該工具収納ケースに対して配設された前記手掛け部によって外部に露出されることとなる、上側に配置される該工具収納ケースに対して設けられており、
前記識別形状は、該把持部位が設けられる該工具収納ケースの他の外周面と比較して凹凸形状を有するようにして設定されており、該識別形状をユーザが触った感触が、該他の外周面と比較して該把持部位として識別可能になっていることを特徴とする工具収納ケース。
【発明の詳細な説明】
【技術分野】
【０００１】
本発明は、動力工具を含む工具類を収納するための工具収納ケースに関する。
【背景技術】
【０００２】
従来、電動工具に代表されるように電力を動力源とするような動力工具が、広く使用されている。このような動力工具を外で持ち運ぶ際、この動力工具を収納可能とする内部構造を有した工具収納ケースに収納される。このような工具収納ケースは、このような動力工具を含む工具類を収納することができるように、プラスチック樹脂を箱形に成形して形成される（例えば、特許文献１参照）。
ところで、このような工具収納ケースにあっては、複数の工具収納ケースを重箱のように積み重ねられて連結されるものが知られている。このように工具収納ケースを積み重ねて連結した場合には、複数の工具収納ケースが一体となった段組の工具収納ケースとして持ち運びすることができて便利となる。
【先行技術文献】
【特許文献】
【０００３】
【特許文献１】特開２０１０−６４２２７号
【発明の概要】
【発明が解決しようとする課題】
【０００４】
しかしながら、上記した重箱のように複数積み重ねらた工具収納ケースを１つずつ持ち上げようとする場合には、通常の重箱のように持ち上げようとする工具収納ケースの両側面を両手で挟み込んで持ち上げるようにしなければならなかった。このため、工具収納ケースに重量の重い動力工具が収納されていると、重箱のように複数積み重ねられた工具収納ケースのうちの下側の工具収納ケースから、上側の工具収納ケースを分離して持ち上げるのが難しくなってしまう。
【０００５】
本発明は、このような事情に鑑みなされたものであって、本発明が解決しようとする課題は、動力工具を含む工具類を収納するための工具収納ケースにおいて、重箱のように複数積み重ねられた工具収納ケースのうちの下側の工具収納ケースから、上側の工具収納ケースを分離して持ち上げ易いようにすることにある。
【課題を解決するための手段】
【０００６】
上記した課題を解決するにあたって、本発明に係る工具収納ケースは次の手段をとる。
すなわち、本発明の第１の発明に係る工具収納ケースは、高さ方向で重ねられるように配置可能に構成されつつ、このように高さ方向で重ねられて配置した上下構成を一体に連結する連結構造を具備する、段組可能な工具収納ケースであって、重ねられて配置された際の高さ方向に沿って延在する一の側面と、該一の側面とは反対側に配置される他の側面とには、該工具収納ケースを持ち上げる際に、ユーザの手を引っ掛けることができるように機能する手掛け部が配設されていることを特徴とする。
この第１の発明に係る工具収納ケースによれば、一の側面と反対側の他の側面とには手掛け部が配設されているので、工具収納ケースを持ち上げる際にユーザの手を引っ掛けることができる。これによって、重箱のように複数積み重ねられた工具収納ケースのうちの下側の工具収納ケースから、上側の工具収納ケースを分離して容易に持ち上げることができる。
【０００７】
第２の発明に係る工具収納ケースは、前記第１の発明に係る工具収納ケースにおいて、前記手掛け部は、該工具収納ケースの収納側に入り込む凹形状を有して形成されていることを特徴とする。この第２の発明に係る工具収納ケースによれば、手掛け部は工具収納ケースの収納側に入り込む凹形状を有して形成されているので、この手掛け部が配設される側面に出っ張り形状を形成することなく、手掛け部を形成することができる。これによって、側面を張り出すことなく手掛け部を配設することができて、以前の配置スペースと変わらない配置スペースで工具収納ケースを配置することができる。
第３の発明に係る工具収納ケースは、前記第２の発明に係る工具収納ケースにおいて、内部に動力工具が収容可能にされるケース本体と、該ケース本体の上側に配設され且つ該ケース本体の内部を開け閉めする蓋体とを備え、前記手掛け部は、前記凹形状が前記蓋体に対して形成されることにより配設されていることを特徴とする。この第３の発明に係る工具収納ケースによれば、手掛け部はケース本体の上側に配設され且つケース本体の内部を開け閉めする蓋体に対して凹形状が形成されることにより配設されているので、動力工具を収容する範囲に影響を与えることなく、手掛け部を形成することができる。これによって、手掛け部を形成しながらも、動力工具の収容領域を良好に確保することができる。
第４の発明に係る工具収納ケースは、前記第１から前記第３のいずれかの発明に係る工具収納ケースにおいて、前記手掛け部によりユーザの手に引っ掛けられる把持部位には、該ユーザが触った感触により該把持部位として他の前記工具収納ケースの外周面と識別される識別形状が設けられていることを特徴とする。この第４の発明に係る工具収納ケースによれば、手掛け部によりユーザの手に引っ掛けられる把持部位には、ユーザが触った感触により把持部位として他の工具収納ケースの外周面と識別される識別形状が設けられているので、ユーザは、触った感触によりユーザが手を引っ掛けるべき把持部位であることを認識することができる。これによって、ユーザが手を引っ掛けるに際しての目視確認を行うこと無くして、手を引っ掛ける際の利便性を向上させる。
第５の発明に係る工具収納ケースは、前記第４の発明に係る工具収納ケースにおいて、前記把持部位は、高さ方向で重ねられて配置した上下の該工具収納ケースのうち、下側に配置される該工具収納ケースに対して配設された前記手掛け部によって外部に露出されることとなる、上側に配置される該工具収納ケースに対して設けられており、前記識別形状は、該把持部位が設けられる該工具収納ケースの他の外周面と比較して凹凸形状を有するようにして設定されており、該識別形状をユーザが触った感触が、該他の外周面と比較して該把持部位として識別可能になっていることを特徴とする。この第５の発明に係る工具収納ケースによれば、把持部位は、下側の工具収納ケースに対して配設された手掛け部によって外部に露出されることとなる、上側に配置される工具収納ケースに対して設けられているので、工具収納ケースを支持することによって工具収納ケースを持ち上げることができる。これによって、下側の工具収納ケースに対して上側の工具収納ケースを分離して持ち上げるための形状を新規に形成することなく、この上側の工具収納ケースを分離して持ち上げることができる。また、識別形状は、把持部位が設けられる工具収納ケースの他の外周面と比較して凹凸形状を有するようにして設定されているので、ユーザが把持部位の識別形状を触ることにより、工具収納ケースを持ち上げる際の把持部位として識別することができて便利となる。
【発明の効果】
【０００８】
第１の発明に係る工具収納ケースによれば、重箱のように複数積み重ねられた工具収納ケースのうちの下側の工具収納ケースから、上側の工具収納ケースを分離して容易に持ち上げることができる。
第２の発明に係る工具収納ケースによれば、以前の配置スペースと変わらない配置スペースで工具収納ケースを配置することができる。
第３の発明に係る工具収納ケースによれば、手掛け部を形成しながらも、動力工具の収容領域を良好に確保することができる。
第４の発明に係る工具収納ケースによれば、ユーザが手を引っ掛けるに際しての目視確認を行うこと無くして、手を引っ掛ける際の利便性を向上させる。
第５の発明に係る工具収納ケースによれば、上側の工具収納ケースを分離して持ち上げるための形状を新規に形成することなく、この上側の工具収納ケースを分離して持ち上げることができる。
【図面の簡単な説明】
【０００９】
【図１】上下２段で段組された工具収納ケースの外観を示す外観斜視図である。
【図２】図１に示す段組された工具収納ケースを側面視にて示す側面図である。
【図３】普通型工具収納ケースの個別外観を斜視にて示す外観斜視図である。
【図４】図３の普通型工具収納ケースの底面外観を平面視にて示す平面図である。
【図５】図３の普通型工具収納ケースの開閉ラッチを外した外観を示す斜視図である。
【図６】図３の普通型工具収納ケースの蓋体を開けた外観を示す斜視図である。
【図７】大型工具収納ケースの個別外観を斜視にて示す外観斜視図である。
【図８】図７の大型工具収納ケースの底面外観を平面視にて示す平面図である。
【図９】図３におけるＩＸ−ＩＸ断面矢視を示す断面図である。
【図１０】図３におけるＸ−Ｘ断面矢視を示す断面図である。
【図１１】図７におけるＸＩ−ＸＩ断面矢視を示す断面図である。
【図１２】図７におけるＸＩＩ−ＸＩＩ断面矢視を示す断面図である。
【図１３】肩掛けベルトを取り付けた際に鉛直線上側に向く面として前側面が設定される普通型工具収納ケースの斜視図である。
【図１４】肩掛けベルトを取り付けた際に鉛直線上側に向く面として右側面が設定される普通型工具収納ケースの斜視図である。
【図１５】連なる一つの肩掛けベルトを４つのベルトループに取り付けた際の普通型工具収納ケースの斜視図である。
【発明を実施するための形態】
【００１０】
以下、本発明に係る工具収納ケースを実施するための実施の形態について図面を参照しながら説明する。
図１は、上下２段で段組された工具収納ケース１０，５０の外観を示す外観斜視図である。図２は、図１に示すように上下２段で段組された工具収納ケース１０，５０を側面視にて示す側面図である。図１および図２では、上下２段で段組された工具収納ケース１０，５０を示している。これら工具収納ケース１０，５０は、電力を動力源とする電動工具を収納するケースである。つまり、図示符号Ｗは、普通型工具収納ケース１０および大型工具収納ケース５０を上下２段で段組した工具収納ケースを指し示している。
図１および図２に示す上側に配置される普通型工具収納ケース１０は、例えば釘打ち機に代表されるような、大きさが小型から中型となる電動工具を収容可能に形成される工具収納ケースである。また、この普通型工具収納ケース１０の下側に配置される大型工具収納ケース５０は、例えばマルノコに代表されるような、大きさが中型から大型となる電動工具を収容可能に形成される工具収納ケースである。なお、これらの釘打ち機やマルノコを含む工具収納ケースに収納される電動工具は、電力源となる充電式バッテリを装着可能に構成されている。
なお、これらの工具収納ケース１０，５０は、図面にも記載しているが、工具収納ケース１０，５０の通常配置に基づいて上下を規定しており、工具収納ケース１０，５０のケース本体１１，５１内への工具の収容および取出しに基づいて前後と左右を規定している。このため、この通常配置とする工具収納ケース１０，５０では、ケース本体１１，５１に対して蓋体２１，６１が開閉できるように開閉回動軸１２，５２が設定され、ケース本体１１，５１に対して上側に蓋体２１，６１が位置するように配置されている。
【００１１】
ところで、上記した普通型工具収納ケース１０および大型工具収納ケース５０は、高さ方向に複数積み重ねることができる、いわゆる段積み可能な構成を有している。これら普通型工具収納ケース１０および大型工具収納ケース５０は、このように段積みされた状態で、上下に配置される上下構成を互いに一体に連結することができる構成を有している。すなわち、これら普通型工具収納ケース１０および大型工具収納ケース５０のそれぞれには、上下に段積みされるように配置された場合に互いを一体に連結する連結掛止構造４０，８０が設けられている。すなわち、これら普通型工具収納ケース１０および大型工具収納ケース５０のそれぞれには、通常配置による高さ方向にて２段で互いに積み重ねられている。これら普通型工具収納ケース１０および大型工具収納ケース５０の側面には、このように積み重ねられた工具収納ケース１０，５０同士を互い連結する連結掛止構造４０，８０が配設されている。このように上下２段で重ねられて配置された、段積み状態とした普通型工具収納ケース１０と大型工具収納ケース５０とは、連結掛止構造４０，８０により互いを連結して一体となる。なお、後に説明する開閉掛止構造３０，７０の開閉ラッチ３１，７１も、連結係止構造４０，８０のように機能して、大型工具収納ケース５０に普通型工具収納ケース１０を２段で組んで一体とする。このように一体に組まれた大型工具収納ケース５０と普通型工具収納ケース１０とは、段組状態の工具収納ケースＷをなす。
【００１２】
つまり、図３および図７に示すように、普通型工具収納ケース１０および大型工具収納ケース５０の上面１０１，５０１には、ユーザにて手握り可能なハンドル３５，７５が配設されているが、このハンドル３５，７５により持ち上げるに際しては、普通型工具収納ケース１０の単体もしくは大型工具収納ケース５０の単体として持ち上げたり、図１に示す普通型工具収納ケース１０と大型工具収納ケース５０との段組体として持ち上げたりすることができる。なお、ユーザにて手握り可能なハンドル３５，７５は、持ち運びする使用時には、手握り可能に立てることができるようになっており、持ち運びしない不使用時には、上面１０１が面一となるように倒れることができるようになっている。また、このハンドル３５の表面には、手握りした際のグリップ感触が分かるように、凹凸形状をなすシボ３６，７６が設けられている。
次に、上下２段で組まれて段組状態となる、普通型工具収納ケース１０と大型工具収納ケース５０とについて説明する。なお、これら工具収納ケース１０，５０のうち、普通型工具収納ケース１０については図３〜図６を参照されたく、また大型工具収納ケース５０については図７および図８を参照されたい。ちなみに、図３は、普通型工具収納ケース１０の個別外観を斜視にて示す外観斜視図である。図４は、図３の普通型工具収納ケース１０の底面１０６を平面視にて示す平面図である。図５は、図３の普通型工具収納ケース１０の開閉ラッチ３１を外した外観を示す斜視図である。図６は、図３の普通型工具収納ケース１０の蓋体２１を開けた外観を示す斜視図である。図７は、大型工具収納ケース５０の個別外観を斜視にて示す外観斜視図である。図８は、図７の大型工具収納ケース５０の底面５０６を平面視にて示す平面図である。
【００１３】
これら普通型工具収納ケース１０と大型工具収納ケース５０とは、上記したように内部に電動工具（動力工具）が収容可能にされるケース本体１１，５１と、ケース本体１１，５１の上側に配設され且つケース本体１１，５１の内部を開け閉めする蓋体２１，６１とを備える。つまり、この蓋体２１，６１は、ケース本体１１，５１に対して開け閉め可能に取り付けられている。このように構成される普通型工具収納ケース１０と大型工具収納ケース５０とは、ケース本体１１，５１と閉じた蓋体２１，６１とにより六面体の箱形をなすように構成される。すなわち、これらの普通型工具収納ケース１０および大型工具収納ケース５０は、図示符号のとおりで、上面１０１，５０１、前側面１０２，５０２、後側面１０３，５０３、右側面１０４，５０４、左側面１０５，５０５、底面１０６，５０６として規定されている。
これらの普通型工具収納ケース１０と大型工具収納ケース５０とには、ケース本体１１，５１に対する蓋体２１，６１の閉じ状態を保持する開閉掛止構造３０，７０が設けられている。この開閉掛止構造３０，７０は、概略、ケース本体１１，５１に対して配設される開閉ラッチ３１，７１と、蓋体２１，６１に設けられる係止凸部２３，６３（開閉掛止構造７０は不図示）とを備える。例えば図５および図６に示すように、このケース本体１１にて支持される開閉ラッチ３１は、蓋体２１に設けられる係止凸部２３を保持することにより、ケース本体１１に対する蓋体２１の相対的な開きを規制するように機能する。つまり、開閉ラッチ３１は、下部がケース本体１１に対して回転可能に軸支持されて上部がケース本体１１に対して揺動することにより、係止凸部２３，６３（開閉掛止構造７０は不図示）を保持あるいは非保持とし、掛止あるいは掛止解除するように構成される。開閉ラッチ３１の中間内部には、特に図示していないが、ケース本体１１に設けられる係止凸部１５と蓋体２１に設けられる係止凸部２３とを一体に保持する形状が設けられている。
【００１４】
このように開閉ラッチ３１が、ケース本体１１の係止凸部１５と蓋体２１の係止凸部２３とを一体に保持するように掛止すると、ケース本体１１に対しての蓋体２１の閉じ状態は保持されることとなる。逆に、この開閉ラッチ３１の掛止が解除（掛止解除）されていると、蓋体２１はケース本体１１に対して開け閉めすることができることとなる。また、開閉ラッチ３１の上端部は、ユーザの指を掛けることができる指掛け形状３２が形成されている。この指掛け形状３２は、指を掛け易くするために下側に向けて凹状をなして形成される。凹状をなす指掛け形状３２は、この指掛け形状３２に指を掛けて掛止あるいは掛止解除するにあたって、掛けた指が痛くならないように丸みを有した凹状に形成されている。なお、このケース本体１１に対する開閉ラッチ３１の軸支持は、ケース本体１１に対して上下に相対的にスライド可能となっている。このため、開閉ラッチ３１は、後に詳述するように、発明に係る連結構造に相当する機能も併せ持つこととなる。
また、特に図示して説明していないが、大型工具収納ケース５０における開閉ラッチ７１を含む開閉掛止構造７０にあっても、普通型工具収納ケース１０における開閉ラッチ３１を含む開閉掛止構造３０と同様の構成を有して同様に機能する。なお、この大型工具収納ケース５０の開閉掛止構造７０は、普通型工具収納ケース１０の開閉掛止構造３０と同様、開閉ラッチ７１には指掛け形状７２が設けられている。
【００１５】
ところで、これら普通型工具収納ケース１０と大型工具収納ケース５０とには、２段積みした際に下側に配置される工具収納ケースと、下側工具収納ケースの上側に載置される工具収納ケースとを一体で連結するための連結掛止構造４０，８０が配設されている。つまり、この連結掛止構造４０，８０は、本発明に係る連結構造に相当する機能を有する。なお、以下では説明の便宜上、２段積みした際の下側に配置される工具収納ケースを「下側ケース」と称することがあり、この下側配置ケースの上側に載置される工具収納ケースを「上側ケース」と称することがある。
すなわち、連結掛止構造４０，８０は、概略、ケース本体１１，５１に対して配設される連結ラッチ４１，８１と、相手側となる上側ケースに設けられる連結凸部１６，５６とを備える。ここで、下側ケースとして配置されるケース本体１１，５１にて支持される連結ラッチ４１，８１は、相手側となる上側ケースに設けられる連結凸部１６，５６を保持することにより、下側ケースに対する上側ケースの相対的な連結を発揮するように機能する。例えば図５および図６に示すように、連結ラッチ４１は、上記した開閉ラッチ３１と略同様に、下部がケース本体１１に対して回転可能に軸支持されて上部がケース本体１１に対して揺動することにより、連結凸部１６，５６を保持あるいは非保持とし、もって連結あるいは連結解除するように構成される。この連結ラッチ４１の上端部も、上記した開閉ラッチ３１の指掛け形状３２と同様の、ユーザの指を掛けることができる指掛け形状４２が形成されている。このケース本体１１に対する連結ラッチ４１の軸支持は、ケース本体１１に対して上下に相対的にスライド可能となっている。つまり、この連結掛止構造４０，８０は、段積みされた状態で上下に配置される上下構成を互いに一体に連結することができる。
【００１６】
また、特に図示して説明していないが、大型工具収納ケース５０における連結ラッチ８１を含む連結掛止構造８０にあっても、普通型工具収納ケース１０における連結ラッチ４１を含む連結掛止構造４０と同様の構成を有して同様に機能する。なお、この大型工具収納ケース５０の連結掛止構造８０は、普通型工具収納ケース１０の連結掛止構造４０と同様、連結ラッチ８１には指掛け形状８２が設けられている。
また、上記した開閉掛止構造３０，７０にあっても、この連結掛止構造４０，８０の例と同様に機能する。すなわち、下側ケースとして配置されるケース本体１１，５１にて支持される開閉ラッチ３１，７１は、相手側となる上側ケースに設けられる連結凸部１７，５７を保持可能に構成されている。ここで、この開閉ラッチ３１，７１が連結凸部１７，５７を保持した場合には、下側ケースに対する上側ケースの相対的な連結を発揮するように機能する。つまり、この開閉掛止構造３０，７０にあっても、段積みされた状態で上下に配置される上下構成を互いに一体に連結することができる。
なお、この普通型工具収納ケース１０の開閉掛止構造３０（大型工具収納ケース５０にあっては符号７０）を構成する、開閉ラッチ３１（大型工具収納ケース５０にあっては７１）と連結凸部１７（大型工具収納ケース５０にあっては５７）との間は、区画支持部１３１（大型工具収納ケース５０にあっては５３１）として設定される。この区画支持部１３１（５３１）は、係止状態となる開閉ラッチ３１の外面と面一になる外面を有して形成されており、ケース本体１１（５１）の中でも厚みを有した形状にて形成されている。このため、このように外面が面一に延在される区画支持部１３１（５３１）は、開閉ラッチ３１（７１）に掛かる力に十分に耐え得る程度の剛性を有することとなる。
また、これと同様に、普通型工具収納ケース１０の連結掛止構造４０（大型工具収納ケース５０にあっては符号８０）を構成する、連結ラッチ４１（大型工具収納ケース５０にあっては８１）と連結凸部１６（大型工具収納ケース５０にあっては５６）との間は、区画支持部１３２（大型工具収納ケース５０にあっては５３２）として設定される。この区画支持部１３２（５３２）は、係止状態となる連結ラッチ４１の外面と面一になる外面を有して形成されており、ケース本体１１（５１）の中でも厚みを有した形状にて形成されている。このため、このように外面が面一に延在される区画支持部１３２（５３２）は、連結ラッチ４１（８１）に掛かる力に十分に耐え得る程度の剛性を有することとなる。
【００１７】
図１３〜図１５に示す普通型工具収納ケース１０では、本発明に係るベルト部材に相当する肩掛けベルト９０が取り付けられている。この肩掛けベルト９０は、この普通型工具収納ケース１０を運搬するにあたってユーザの肩から掛けれるようにする、いわゆる運搬用ベルトである。図１３は、肩掛けベルト９０を取り付けた際に鉛直線上側に向く面として前側面１０２が設定される普通型工具収納ケース１０の斜視図である。図１４は、肩掛けベルト９０を取り付けた際に鉛直線上側に向く面として右側面１０５が設定される普通型工具収納ケース１０の斜視図である。また、図１５は、連なる一つの肩掛けベルト９０を４つのベルトループ９３に取り付けた際の普通型工具収納ケース１０の斜視図である。
ところで、図１３および図１４に示すように、上記した普通型工具収納ケース１０には、本発明に係るベルト部材に相当する肩掛けベルト９０が取り付けられる。この肩掛けベルト９０は、一般的に肩掛けバッグ等に利用されるベルトと同様であり、普通型工具収納ケース１０を肩から掛けるような掛け状態とするようにベルト機能を有するものとなっている。このため、普通型工具収納ケース１０の、ケース本体１１と蓋体２１との双方には、この肩掛けベルト９０を取付け可能とする本発明に係るベルト受け形状が設けられている。具体的には、ケース本体１１と蓋体２１との双方には、肩掛けベルト９０を挿し通すことができるループ形状を有した、ベルト受け形状としてのベルトループ９１，９３が配設されている。なお、この肩掛けベルト９０を挿し通すベルト受け形状としてのベルトループ９１，９３のうち、蓋体２１に設けられるベルトループ９１については、大型工具収納ケース５０の蓋体６１に対しても配設されている。
【００１８】
具体的には、蓋体２１，６１に設けられるベルトループ９１は、普通型工具収納ケース１０あるいは大型工具収納ケース５０を肩掛け状態とする際に、蓋体２１，６１の上面１０１，５０１が鉛直線上側に向く面となるように配設されるものとなっている。すなわち、このベルトループ９１は、蓋体２１，６１の左右の互いに対向する側辺のそれぞれに対して配設されている。
図９の断面図は、図３におけるＩＸ−ＩＸ断面矢視を示すものであり、肩掛けベルト９０がベルトループ９１に挿し通されているのが分かる図である。図９に示すように、ベルトループ９１は、上側（鉛直方向）から右側（水平方向）に向けて挿し通されている。具体的には、このベルトループ９１は、このように肩掛けベルト９０を挿し通すにあたり、肩掛けベルト９０を挿し通すための開口形状が上側および右側に向くように形成されている。このため、このベルトループ９１の内部には、中間にガイド曲面９２が設けられて、このような挿し通しを容易とするように機能している。
これに対して、ケース本体１１に設けられるベルトループ９３は、この普通型工具収納ケース１０を掛け状態とした際に、蓋体２１の側面１０２，１０３，１０４，１０５が鉛直線上側に向く面となるように配設されるようになっている。図１０の断面図は、図３におけるＸ−Ｘ断面矢視を示すものであり、ベルトループ９３の挿し通し形状が分かる図である。これらのベルトループ９３は、ケース本体１１の側面の４つの境界角のうちのすべての境界角に対して設けられている。このベルトループ９３にあっても、前後あるいは左右の互いに対向する側辺のそれぞれに対して配設されている。図１０に示すベルトループ９３は、内部が空間形状が設けられつつ、後側から右側に連通する挿し通し形状が形成されている。このように前後方向と左右方向とに向けて肩掛けベルト９０を挿し通すことによって、肩掛けベルト９０はベルトループ９３に取り付けられたものとなっている。
【００１９】
なお、図１３および図１４に示すように、ケース本体１１の側面の４つの境界角に設けられる４つのベルトループ９３のうち互いに対向する側辺同士のベルトループ９３のみに肩掛けベルト９０を挿し通してもよい。つまり、図１３に示す状態では、前側面１０２を鉛直線上側に向く面となるように設定することができ、図１４に示す状態では、右側面１０５を鉛直線上側に向く面となるように設定することができる。さらに、図１５に示すように、連なる１本の肩掛けベルト９０をこれら４つのベルトループ９３のすべてに挿し通してもよい。このような場合には、前側面１０２，後側面１０３，右側面１０４，左側面１０５のいずれかを鉛直線上側に向く面となるように設定することができる。また特に図示していないが、蓋体２１に設けられるベルトループ９１に肩掛けベルト９０を挿し通した場合には、普通型工具収納ケース１０を掛け状態とした際に上面１０１を鉛直線上側に向く面に設定することができる。つまり、通常配置時の底面１０６を除く５つの面のうちの少なくとも２面のいずれかを、普通型工具収納ケース１０を掛け状態とした際に鉛直線上側に向く面に設定することができるように、これらのベルトループ９１，９３に肩掛けベルト９０を挿し通すことができる。
【００２０】
図１および図２では、高さ方向にて２段となるように、通常配置の下側ケースに相当する大型工具収納ケース５０の上に、通常配置の上側ケースに相当する普通型工具収納ケース１０が積み重ねられている。ここで開閉掛止構造７０および連結掛止構造８０は、これらの２段で積み重ねられて上下に配置される普通型工具収納ケース１０および大型工具収納ケース５０の上下構成を互いに一体で連結している。ここで開閉掛止構造７０および連結掛止構造８０による、普通型工具収納ケース１０と大型工具収納ケース５０との連結を解除した際には、普通型工具収納ケース１０を持ち上げることができるようにユーザの指（手）が引っ掛けることが可能に機能する手掛け用凹部６５が、大型工具収納ケース５０の前側面５０２および後側面５０３に配設されている。この手掛け用凹部６５は、普通型工具収納ケース１０との連結を解除した場合に、普通型工具収納ケース１０に対してユーザの手を引っ掛けることができるように機能する。具体的には、この手掛け用凹部６５は、ユーザが普通型工具収納ケース１０の底面１０６に指を引っ掛けることができるように、大型工具収納ケース５０の蓋体６１に対して、内側（収納側）に向けた凹形状に切欠かれた形状を有してなる。
【００２１】
すなわち、図１および図２に示すように、大型工具収納ケース５０の蓋体６１のうち前側面５０２および後側面５０３に面した外縁部位には、大型工具収納ケース５０の内側（収納側）に入り込む凹形状を有した手掛け用凹部６５が設けられる。この手掛け用凹部６５によって、大型工具収納ケース５０の上側に配置される普通型工具収納ケース１０の底面１０６を一部露出させることができる。この手掛け用凹部６５によって一部露出される底面１０６は、本発明に係るユーザの手が引っ掛けられる把持部位１８として形成される。この把持部位１８は、ユーザの手が引っ掛けられるべき部位であり、凹凸形状なすシボ１９が設けられている。このシボ１９は、上記したハンドル３５の表面に設けられる凹凸形状をなすシボ３６と略同様に形成され、ユーザは、ユーザの指（手）を引っ掛けるべき把持部位１８として触った感触により認識できるようになっている。つまり、手掛け用凹部６５によりユーザの手に引っ掛けられる把持部位１８には、ユーザが触った感触により把持部位１８として工具収納ケース１０の他の底面１０６と識別される識別形状となるシボ１９が設けられている。このようにして把持部位１８は、この把持部位１８が設けられる工具収納ケース１０の底面１０６の他の外周面と比較して、該把持部位１８であることを他と比較して識別することができるようになっている。なお、図８に示す大型工具収納ケース５０の底面５０６にも、この普通型工具収納ケース１０の底面１０６に設けられる把持部位１８と同様、シボ５９が形成される把持部位５８が設けられている。
この手掛け用凹部６５は、普通型工具収納ケース１０を持ち上げる際に、ユーザの手を引っ掛けることができるように機能する本発明に係る手掛け部に相当する。また、手掛け用凹部６５が設けられる前側面５０２は、普通型工具収納ケース１０と大型工具収納ケース５０が重ねられて配置された際の高さ方向に沿って延在する一の側面に相当する。また、手掛け用凹部６５が設けられる後側面５０３は、普通型工具収納ケース１０と大型工具収納ケース５０が重ねられて配置された際の高さ方向に沿って延在する一の側面とは反対側に配置される他の側面に相当する。このように大型工具収納ケース５０の前側面５０２と後側面５０３との双方に設けられる手掛け用凹部６５は、ユーザの指（手）を引っ掛けるべき把持部位１８を露出させ、この把持部位１８にユーザの指（手）を引っ掛けることにより普通型工具収納ケース１０を持ち上げられる。なお、普通型工具収納ケース１０にあっても、この大型工具収納ケース５０の手掛け用凹部６５と同様の、手掛け用凹部２５が蓋体２１に対して配設されている。
【００２２】
また、図３および図７に示すように、上記した工具収納ケース１０，５０の蓋体２１，６１のうち、左右両側のサイド端縁２７，６７は円く面取りされた曲面形状を有して形成されている。例えば図３の普通型工具収納ケース１０に示すように、このように互いに対向する左右の両側のサイド端縁２７同士が円く面取りされた曲面形状を有して形成されていると、上記したように工具収納ケース１０，５０を下側ケースとして配置して、その上側に別の工具収納ケース１０，５０を上側ケースと載置するにあたって、この上側ケースの位置を決めるにあたってのガイド機能を発揮する。特に上側ケースを並べて載置していく際には、このサイド端縁２７に並べられる上側ケースの底面１０６の角部位を当てて、この上側ケースを正しい位置に向かせるようにガイドすることができる。
また、図３および図７に示すように、上記した工具収納ケース１０，５０にあっては、例えば製品出荷時にケース本体１１，５１に対して蓋体２１，６１を固定保持しておくための結束配設構造４５，８５が設けられている。図１１は、図７におけるＸＩ−ＸＩ断面矢視を示す断面図である。例えば図７の大型工具収納ケース５０に示すように、この結束配設構造８５には、ケース本体５１に対して蓋体６１を南京錠Ｋにより結束させてある。この結束配設構造８５は、このようにケース本体５１に対して蓋体６１を南京錠Ｋにより結束させておいたり、特に図示していないが、例えばポリプロピレン樹脂にて成形されるインシュロック（登録商標）等の結束バンドにより、ケース本体５１に対して蓋体６１を結束させておくための構造である。具体的には、図１１に示すように、ケース本体５１と蓋体６１とには、互いに上下に貫通される孔形状８５１，８５２が設けられている。このように設けられた孔形状８５１，８５２に、南京錠Ｋや不図示の結束バンドを挿し込むようにしてケース本体５１と蓋体６１とを結束している。このようにケース本体５１に対して蓋体６１を結束した場合には、ケース本体５１に対して蓋体６１が勝手に開いてしまうのを防止することができる。なお、この結束配設構造８５の内部には、結束バンドや南京錠の挿し通しをガイドするためのガイド傾斜形状８６３が設けられている。これに対して、この結束配設構造８５の上側部分には、結束バンドの結束部分を収容可能とする空間８６４が形成されている。
【００２３】
また、この大型工具収納ケース５０の結束配設構造８５や、普通型工具収納ケース１０の底面１０６には、このような結束配設構造８５にて取り付けられた結束バンドの外部の突出を抑える、結束バンドの逃がし形状が設けられている。この結束バンドの逃がし形状としては、例えば、普通型工具収納ケース１０の底面１０６に設けられる収容段差部３７である。この収容段差部３７の段差形状にて、上記したように結束する結束バンドが逃がされていると、結束バンドを取り付けた工具収納ケースを保管するに際して、この工具収納ケースに収容スペースを拡げる必要を無くして、箱形スペースの容量だけを確保すればよいものとなり、工具収納ケースの保管に有利となる。
また、図４に示すように、この普通型工具収納ケース１０には、降雨などにより普通型工具収納ケース１０に水がかかってしまっても水を溜めずに外部に逃がすように機能する水抜き孔４７，４８が設けられている。具体的には、図示符号４７の水抜き孔は、結束配設構造４５に水を溜めてしまわないよう水を抜くための孔である。また、図示符号４８の水抜き孔は、普通型工具収納ケース１０の底面１０６から外部に水を逃がすための孔である。また、図８に示すように、大型工具収納ケース５０にも図４に示す普通型工具収納ケース１０の水抜き孔４７，４８と同様な水抜き孔８８が設けられている。また、図１２は図７におけるＸＩＩ−ＸＩＩ断面矢視を示す断面図であるが、図１２に示すように、大型工具収納ケース５０の内部に設けられる肉盗み形状７９（軽量化または樹脂ヒケ対策）にも水抜き孔８７が設けられている。また、この肉盗み形状７９には、図１１に示すように、各種の工具用のビットＢを収容するように形成されるようにしてもよい。具体的には、図１１に示すように、外部に面して開口される肉盗み形状７９は、ビットＢを収容可能な空間として機能するようになっている。この肉盗み形状７９にて形成された空間は、カバー部材９９により閉塞された空間とすることができ、このように閉塞された空間にビットを収容しておくことができる。
【００２４】
上記した段組状態の工具収納ケースＷによれば、次の作用効果を奏することができる。
すなわち、上記した段組状態の工具収納ケースＷ（１０，５０）によれば、下側の大型工具収納ケース５０の前側面５０２と後側面５０３との双方には手掛け用凹部６５が設けられるので、上側の普通型工具収納ケース１０を持ち上げる際にユーザの手を引っ掛けることができる。これによって、重箱のように複数積み重ねられた工具収納ケース１０，５０のうちの下側の大型工具収納ケース５０から、上側の普通型工具収納ケース１０を分離して容易に持ち上げることができる。
また、上記した段組状態の工具収納ケースＷ（１０，５０）によれば、大型工具収納ケース５０の手掛け用凹部６５は大型工具収納ケース５０の収納側に入り込む凹形状を有して形成されているので、この手掛け用凹部６５が配設される側面に出っ張り形状を形成することなく、手掛け用凹部６５を形成することができる。これによって、側面を張り出すことなく手掛け用凹部６５を配設することができて、以前の配置スペースと変わらない配置スペースで工具収納ケースＷ（１０，５０）を配置することができる。
また、上記した段組状態の工具収納ケースＷ（１０，５０）によれば、手掛け用凹部６５は、ケース本体５１の上側に配設され且つケース本体５１の内部を開け閉めする蓋体６１に対して凹形状が形成されることにより配設されているので、電動工具を収容する範囲に影響を与えることなく、手掛け用凹部６５を形成することができる。これによって、手掛け用凹部６５を形成しながらも、電動工具の収容領域を良好に確保することができる。
また、上記した段組状態の工具収納ケースＷ（１０，５０）によれば、手掛け用凹部６５によりユーザの手に引っ掛けられる把持部位１８には、ユーザが触った感触によって把持部位１８として認識することができるシボ１９が設けられているので、ユーザは、触った感触によりユーザが手を引っ掛けるべき把持部位１８であることを認識することができる。これによって、ユーザが手を引っ掛けるに際しての目視確認を行うこと無くして、手を引っ掛ける際の利便性を向上させる。
また、上記した段組状態の工具収納ケースＷ（１０，５０）によれば、把持部位１８は、下側の大型工具収納ケース５０に対して配設された手掛け用凹部６５によって外部に露出されることとなる、上側に配置される普通工具収納ケース１０の底面１０６に対して設けられているので、普通工具収納ケース１０の底面１０６を支持することによって普通工具収納ケース１０を持ち上げることができる。これによって、下側の大型工具収納ケース５０に対して上側の普通工具収納ケース１０を分離して持ち上げるための形状を新規に形成することなく、この上側の普通工具収納ケース１０を分離して持ち上げることができる。また、把持部位１８には、他の外周面と比較して識別形状となるシボ１９（凹凸形状）が設けられているので、ユーザが把持部位１８の識別形状を触ることにより、普通工具収納ケース１０を持ち上げる際の把持部位１８として識別することができて便利となる。
【００２５】
なお、本発明に係る工具収納ケースにあっては、上記した実施の形態に限定されるものではなく、次のように適宜個所を変更して構成するようにしてもよい。
すなわち、上記した工具収納ケースにあっては、該工具収納ケースの内部に収容される動力工具として、充電式バッテリを装着する電動工具を例に挙げて説明するものであった。しかしながら、本発明に係る工具収納ケースの内部に収容する動力工具としては、この例に限定されることなく、動力源として電力ではなく圧縮エアを用いる等、適宜に構成される動力工具であってもよい。
また、上記した高さ方向で積み重ねての工具収納ケースの段組としては、上記した普通型工具収納ケース１０と大型工具収納ケース５０との２段の構成に限定されるものではなく、例えば、普通型工具収納ケース１０を２段あるいは３段によるものであってもよい。このように普通型工具収納ケース１０を２段あるいは３段で段組した場合には、これらの普通型工具収納ケース１０は、開閉掛止構造３０および連結掛止構造４０により一体となるように連結される。なお、このように複数の普通型工具収納ケース１０が段組された場合には、上側に配置されてユーザの手に引っ掛けられる普通型工具収納ケース１０の把持部位１８は、その下側に配置される普通型工具収納ケース１０の手掛け用凹部２５により確保されることとなる。
【符号の説明】
【００２６】
１０  普通型工具収納ケース（工具収納ケース、上側ケース）
１１  ケース本体
１２  開閉回動軸
１５  係止凸部
１６  連結凸部
１７  連結凸部
１８  把持部位
１９  シボ
２１  蓋体
２３  係止凸部
２５  手掛け用凹部（手掛け部）
２７  サイド端縁
３０  開閉掛止構造（連結構造）
３１  開閉ラッチ
４０  連結掛止構造（連結構造）
４１  連結ラッチ
４５  結束配設構造
５０  大型工具収納ケース（工具収納ケース、下側ケース）
５１  ケース本体
５２  開閉回動軸
５６  連結凸部
５７  連結凸部
５８  把持部位
５９  シボ
６１  蓋体
６３  係止凸部
６５  手掛け用凹部（手掛け部）
６７  サイド端縁
７０  開閉掛止構造
７１  開閉ラッチ
８０  連結掛止構造
８１  連結ラッチ
８２  指掛け形状
８５  結束配設構造
９０  肩掛けベルト（ベルト部材）
９１，９３  ベルトループ（ベルト受け形状）
９２  ガイド曲面
９９  カバー部材
１０１，５０１  工具収納ケースの上面
１０２，５０２  工具収納ケースの前側面（一の側面）
１０３，５０３  工具収納ケースの後側面（他の側面）
１０４，５０４  工具収納ケースの右側面
１０５，５０５  工具収納ケースの左側面
１０６，５０６  工具収納ケースの底面
Ｗ  段組状態の工具収納ケース
【図１】
0005836877.tif 000002
【図２】
0005836877.tif 000003
【図３】
0005836877.tif 000004
【図４】
0005836877.tif 000005
【図５】
0005836877.tif 000006
【図６】
0005836877.tif 000007
【図７】
0005836877.tif 000008
【図８】
0005836877.tif 000009
【図９】
0005836877.tif 000010
【図１０】
0005836877.tif 000011
【図１１】
0005836877.tif 000012
【図１２】
0005836877.tif 000013
【図１３】
0005836877.tif 000014
【図１４】
0005836877.tif 000015
【図１５】
0005836877.tif 000016